(57)【要約】【課題】読取画像の色ずれを防止することができると共に、低コスト化を図ることができる画像読取装置を提供する。【解決手段】画像読取装置は、異なるスペクトラムを持つ複数の単色光を選択的に発光させて原稿５を照射する光源３と、原稿５からの反射光を受光する複数の受光素子１を有して原稿５の画像を読み取る読取センサと、該読取センサと原稿との間に配置される光学フィルタ２、を備える。光学フィルタ２は、読取センサの同一の受光素子１に対して配置される透過波長特性が異なる複数の部分を有し、該複数の部分が原稿５と読取センサとの相対移動方向に配列されている。【選択図】図１
2009124554.tif 000002
【特許請求の範囲】
【請求項１】
異なるスペクトラムを持つ複数の単色光を選択的に発光させて原稿を照射する光源と、原稿からの反射光を受光する複数の受光素子を有して原稿の画像を読み取る読取センサと、該読取センサと原稿との間に配置される光学フィルタと、を備える画像読取装置において、
前記光学フィルタは、前記読取センサの同一の受光素子に対して配置される透過波長特性が異なる複数の部分を有し、該複数の部分が原稿と前記読取センサとの相対移動方向に配列されている、ことを特徴とする画像読取装置。
【請求項２】
前記光源は、赤色光、緑色光、青色光を選択的に発光させ、前記光学フィルタは、少なくとも赤色光が透過する部分と、緑色光が透過する部分と、青色光が透過する部分と、を有する、ことを特徴とする請求項１に記載の画像読取装置。
【請求項３】
前記読取センサの各受光素子は、該読取センサの主走査方向の寸法よりも副走査方向の寸法が長い形状を有する、ことを特徴とする請求項１に記載の画像読取装置。
【請求項４】
前記光源は、赤色光、緑色光、青色光を選択的に発光させ、前記光学フィルタは、赤色光が透過する部分、赤色光と緑色光とが透過する部分、赤色光と緑色光と青色光とが透過する部分、緑色光と青色光とが透過する部分、青色光が透過する部分を有する、ことを特徴とする請求項３に記載の画像読取装置。
【請求項５】
前記受光素子の寸法の縦横比が、略５対３または略１０対３である、ことを特徴とする請求項４に記載の画像読取装置。
【発明の詳細な説明】
【技術分野】
【０００１】
本発明は、例えば、スキャナや複写機、カラーファックス、複合機等に用いられる画像読取装置に関する。
【背景技術】
【０００２】
従来、１ライン構成のラインセンサを用いて線順次にカラー画像を読み取る画像読取装置として、回転式分光フィルタを用いたものや光源切換式のものがある（特許文献１及び特許文献２）。
【０００３】
しかし、これらの例では、画像を読み取る際に色ずれが発生し、特に細線に対して虹状の偽色が発生してしまうという問題があった。
【０００４】
例えば、原稿とラインセンサとを相対的に移動させながら、光源をＲ（赤色光），Ｇ（緑色光），Ｂ（青色光）のように順次切り換えて点灯させる画像読取装置では、Ｒ，Ｇ，Ｂに対して画像の読取位置がずれているため、画像の縁部や細線での色ずれが発生する。
【０００５】
図１０及び図１１を参照して詳述すると、まず、図１０（ａ）の例では３００ｄｐｉのラインセンサを用いて画像を読み取る際に原稿のどの部分を実際に読み取っているかを、図中に示す原稿の各部分に付加した数字により示している。
【０００６】
図中の原稿に記載している数字は、説明を分りやすくするため原稿の各微小部分を示すもので、各数字の間隔を副走査方向に３００ｄｐｉの解像度で読み取られる読取画像における画素ピッチの１／６の幅としている。
【０００７】
図１０（ａ）では、原稿は３００ｄｐｉ相当の速度で移動している。副走査方向の解像度が３００ｄｐｉで１ライン分を読み取るために、その１ラインに相当する距離だけ原稿を搬送するのにかかる時間の１／３の時間間隔でＲ，Ｇ，Ｂの光源を順次選択的に発光させて原稿を照射する。
【０００８】
従って、３００ｄｐｉの解像度で読み取っている場合でも、図１０（ｂ）に示すように、実際の画像情報読取位置はＲとＧの間、及びＧとＢの間、及びＢと次ラインのＲの間で１／３ライン分ずつずれていることがわかる。
【０００９】
色ずれが発生する原因は、この画像情報読取位置のずれであり、例えば図１０の原稿部分に付した番号６，７だけが白で他が黒であった場合、１ライン目の当該部分は青となり、２ライン目の当該部分が赤と緑の両方の光線成分を合成した黄色となってしまう。
【００１０】
また、図１１に、この３００ｄｐｉのラインセンサを用い、原稿の相対速度を速めて、副走査方向に１５０ｄｐｉ相当の解像度となるように走査を行った場合の画像情報読取位置を示す。
【００１１】
図から明らかなように、Ｒ，Ｇ，Ｂの各色光を用いて走査される原稿の位置は他の色の光を用いて走査される原稿の位置とは異なっており、前述の３００ｄｐｉ読取の場合と同様に色ずれが発生する。
【００１２】
そこで、回折格子や液晶シャッタ等を用いて色毎に１／ｎ画素のオフセットを与えることにより色ずれを防止する画像読取装置が提案されている（特許文献３）。
【００１３】
また、屈折率分布型レンズ（特許文献４）や３ラインセンサ（特許文献５）を用いて色ずれを防止する画像読取装置が提案されている。
【特許文献１】特開昭６０−１０９９６４号公報
【特許文献２】特開昭６０−１０７９７２号公報
【特許文献３】特開平１１−２２０５７６号公報
【特許文献４】特開２００５−３９７０３号公報
【特許文献５】特開２００３−３２４３７号公報
【発明の開示】
【発明が解決しようとする課題】
【００１４】
しかし、上記特許文献３では、高価な回折格子や液晶シャッタ等が必要になるため、画像読取装置のコスト増加を招く。また、回折格子は、受光素子やレンズ等に対して画素の大きさよりはるかに微小な距離のレベルで平行度を調整して、回折方向を高精度にする必要があるため、高い取り付け精度が要求される。
【００１５】
また、上記特許文献４では、屈折率分布型レンズを使用しているため、要求される平行度が厳しく、さらには、受光素子を３列の立体構造に配置する必要があるため、非常に高価なものになる。
【００１６】
更に、上記特許文献５では、受光素子を３ライン必要とし、その読み出し回路等も３系統必要にため、高価なものになる。
【００１７】
そこで、本発明は、読取画像の色ずれを大幅に低減することができると共に、低コスト化を図ることができる画像読取装置を提供することを目的とする。
【課題を解決するための手段】
【００１８】
上記目的を達成するために、請求項１に係る発明は、異なるスペクトラムを持つ複数の単色光を選択的に発光させて原稿を照射する光源と、原稿からの反射光を受光する複数の受光素子を有して原稿の画像を読み取る読取センサと、該読取センサと原稿との間に配置される光学フィルタと、を備える画像読取装置において、前記光学フィルタは、前記読取センサの同一の受光素子に対して配置される透過波長特性が異なる複数の部分を有し、該複数の部分が原稿と前記読取センサとの相対移動方向に配列されている、ことを特徴とする。
【００１９】
請求項２に係る発明は、請求項１において、前記光源は、赤色光、緑色光、青色光を選択的に発光させ、前記光学フィルタは、少なくとも赤色光が透過する部分と、緑色光が透過する部分と、青色光が透過する部分と、を有することを特徴とする。
【００２０】
請求項３に係る発明は、請求項１において、前記読取センサの各受光素子は、該読取センサの主走査方向の寸法よりも副走査方向の寸法が長い形状を有することを特徴とする。
【００２１】
請求項４に係る発明は、請求項３において、前記光源は、赤色光、緑色光、青色光を選択的に発光させ、前記光学フィルタは、赤色光が透過する部分、赤色光と緑色光とが透過する部分、赤色光と緑色光と青色光とが透過する部分、緑色光と青色光とが透過する部分、青色光が透過する部分を有する、ことを特徴とする。
【００２２】
請求項５に係る発明は、請求項４において、前記受光素子の寸法の縦横比が、略５対３または略１０対３である、ことを特徴とする。
【発明の効果】
【００２３】
本発明によれば、読取画像の色ずれを大幅に低減させた画像読取装置を低コストで提供することができる。
【発明を実施するための最良の形態】
【００２４】
以下、本発明の実施形態を図面を参照して説明する。
【００２５】
（第１の実施形態）
図１は、本発明の第１の実施形態である線順次にカラー画像を読み取る画像読取装置を説明するための図である。
【００２６】
本実施形態の画像読取装置において、図１に示すように、搬送ローラ６によって搬送される原稿５に対して光源３により光が照射され、その反射光が光学レンズ４を介して受光素子１に原稿像として結像される。受光素子１の光学レンズ４側の面には、光学フィルタ２が設けられている。
【００２７】
光源３は、Ｒ光（赤色光），Ｇ光（緑色光），Ｂ光（青色光）のスペクトラムを持つ単色光を選択的に発光可能なＬＥＤ等により構成され、原稿５に対して各色の照明光を順次照射する。
【００２８】
図５に、各色のＬＥＤの波長と発光強度との関係を示す。図５に示すように、ＬＥＤは、Ｒ光，Ｇ光，Ｂ光の各スペクトラムが比較的狭帯域な特性を持ち、本実施形態の光源３として好適に用いることができる。
【００２９】
光学レンズ４は、正立像を結像可能であり、光学レンズ４に対して原稿５から離間する側に受光素子１が一列のアレイ状に配列されている。
【００３０】
本実施形態では、正立像を結像可能な光学レンズ４を用いたが、倒立像を結像するレンズを用いる場合には、光学フィルタ２を逆順に配列するなどの構成にすればよい。
【００３１】
また、本実施形態では、受光素子１は、一列のアレイ状に配置され、読取センサとしてのコンタクトラインイメージセンサ（以下、ラインセンサという）の一部となっているため、原稿５と等倍の像が受光素子１上に結像される。
【００３２】
なお、縮小光学系を用いた場合は、受光素子の寸法に対応するように、縮小された光学フィルタを配置すれば同様の効果が得られる。
【００３３】
一列のアレイ状に配置された受光素子１は、副走査方向の寸法が主走査方向の寸法より長くなるように構成されており、その受光面と原稿面との間に、透過特性が副走査方向の位置によって異なる光学フィルタ２が配置される。
【００３４】
光学フィルタ２は、ラインセンサの長手方向（主走査方向）に並ぶ受光素子１毎に設けられており、通常、受光素子１の近傍に配置するか、あるいは本実施形態のように、受光素子１の表面に接するように配置される。
【００３５】
光学フィルタ２は、光源３の発光する光のうち、（Ｒ光）、（Ｒ光＋Ｇ光）、（Ｒ光＋Ｇ光＋Ｂ光）、（Ｇ光＋Ｂ光）、（Ｂ光）をそれぞれ透過させる５種類の透過波長特性の異なる部分（フィルタ）を有する。光学フィルタ２の透過波長特性の異なる各部分は、原稿５の相対移動方向に上記の順に並べて配置されている。
【００３６】
図６に、光学フィルタ２の配置及び各部分の透過特性を示す。また、図７に、この光学フィルタ２と受光素子１との配置例を示す。
【００３７】
光学フィルタ２は、受光素子１の１画素毎に、原稿５の相対移動方向（副走査方向とは逆の方向）に対し、上記５種類の透過特性をもつ各部分が、それぞれ３００ｄｐｉ の読取画像の画素ピッチの略１／３に相当する大きさを有して上記の順に配列されている。
【００３８】
なお、主走査方向については、受光素子１は、３００ｄｐｉ又は６００ｄｐｉのピッチで配列されている。従って、各受光素子１の寸法の縦横比は、略５対３又は略１０対３となる。
【００３９】
まず、光源３によりＲ光だけを照射すると、光学フィルタ２は、受光素子１の原稿５側の面に配置されているので、受光素子１の表面にＲ光を透過させるフィルタが配置された部分のみで受光される。
【００４０】
そして、受光素子１の出力信号をＡ／Ｄ変換して、生成されたデータを全ての受光素子１について取得する読取動作を行うことにより、１本のラインのＲデータ（Ｒ読取情報）を得る事ができる。
【００４１】
続いて、原稿５を移動しながらＧ光だけを照射して同様の読取動作を行い、それに続いてＢ光だけを照射して同様の読取動作を行う。
【００４２】
Ｒ光だけが照射された場合と、Ｇ光だけが照射された場合と、Ｂ光だけが照射された場合についての読取では、Ｒ光が受光可能な受光素子１の位置とＧ光が受光可能な受光素子１の位置とＢ光が受光可能な受光素子１の位置との間に、ずれを設けてある。
【００４３】
このずれは、それぞれラインセンサ固有の読取解像度（本実施形態では３００ｄｐｉ）に対応する画素ピッチの１／３（本実施形態では９００ｄｐｉの画素ピッチ）に相当する。従って、各色の読取時に原稿５の搬送方向に前記ずれた位置でのＲ情報、Ｇ情報、Ｂ情報を読み取ることが可能である。
【００４４】
図８に、受光素子１のずれた位置で各色情報を読み取っている様子を示す。
【００４５】
図８から判るように、Ｒ読取情報，Ｇ読取情報，Ｂ読取情報の各々を読み取る際、原稿面に対し、上記のように３００ｄｐｉ読取画像の画素ピッチの１／３に相当する距離だけずれた位置を読み取ることになる。
【００４６】
しかし、各色の読取を行ったそれぞれ異なる時点に対して原稿５はそれぞれ異なる位置に搬送されて移動している。このため、後述するように搬送速度を調整すれば原稿５上の同一点におけるＲ情報，Ｇ情報，Ｂ情報の各々を読み取ることが可能となる。
【００４７】
上記のように、受光素子１がＲ光、Ｇ光、Ｂ光をそれぞれ受光する受光位置は、光学フィルタ２のずれ量で異なるため、対応する画像情報読取位置も異なる。
【００４８】
このずれ量は、光学フィルタ２の設置間隔に依存し、本実施形態の場合、光学フィルタ２のＲ光、Ｇ光、Ｂ光の透過位置は、それぞれがオーバーラップし合いながら、原稿５の相対移動方向へ平行移動されたものとなっている。
【００４９】
本実施形態では、主走査方向に３００ｄｐｉ、副走査方向に３００ｄｐｉの解像度のラインセンサの場合、受光素子１の副走査方向の長さを主走査方向の長さの５／３倍程度に設定する。
【００５０】
また、光学フィルタ２の上記５種類の透過特性をもつフィルタ各部分の副走査方向の幅を受光素子１の主走査方向の長さの１／３程度に設定する。
【００５１】
これにより、Ｒ光、Ｇ光、Ｂ光の各画像情報読取位置は３００ｄｐｉ読取画像での１ライン相当の距離の１／３（９００ｄｐｉ読取画像での１ライン相当の距離）ずつずれた位置になる。
【００５２】
Ｒ読取情報，Ｇ読取情報，Ｂ読取情報をそれぞれ読取る際には、ＬＥＤ等の光源３を順次点灯させながら読み取る。
【００５３】
そして、ある色のＬＥＤを点灯させてから次の色のＬＥＤの点灯に切換えるまでの間、原稿５は受光素子１に対して９００ｄｐｉ読取画像の画素ピッチに等しい距離だけ移動するように原稿５の搬送速度を調整する。
【００５４】
これにより、原稿５を移動させて読み取る場合に、同じ原稿位置にある画像のＲ読取情報，Ｇ読取情報，Ｂ読取情報の全てを取得することが可能になる。
【００５５】
次に、各色毎の画像情報読取位置について詳述する。
【００５６】
ラインセンサの主走査方向の解像度を６００ｄｐｉ、副走査方向の解像度を３００ｄｐｉとする場合、受光素子１の副走査方向の長さを主走査方向の長さの略１０／３にする。
【００５７】
図２〜図４に、この条件でラインセンサで読み取られる原稿の位置を示す。なお、主走査方向の解像度を６００ｄｐｉ以外に変更した場合でも図２〜図４と同様である。
【００５８】
図２に示すように、ラインセンサを用いて解像度３００ｄｐｉ相当で原稿５の画像を読み取る場合は、光源３により原稿５に対してＲ光、Ｇ光、Ｂ光を順次照射する。
【００５９】
光学フィルタ２は、前述のように、Ｒ光，Ｇ光，Ｂ光の各色の透過する領域の副走査方向の幅が３００ｄｐｉ読取画像の画素ピッチに略等しく、またその画素ピッチの略１／３ずつずれてオーバーラップするように、５種類の透過波長特性を持つ部分を有する。
【００６０】
なお、本実施形態では、光学フィルタ２の５つの部分にわたって階段状に変化する透過波長特性を示すようにしたが、必ずしも階段状でなくともよく、連続的に変化する透過波長特性としても良い。
【００６１】
また、５つの部分を透過特性の異なる独立した光学フィルタとし、これらを組み合わせて光学フィルタを構成してもよい。
【００６２】
更に、一つの受光素子１毎に光学フィルタ２を設けるのではなく、複数の受光素子１に跨がるように光学フィルタを設けてもよい。
【００６３】
更に、光学フィルタ２は、光源３が発光する光のスペクトラムに対して支障のない特性であればよく、光源３が発光する光に含まれない波長の光に対してはその透過特性を規定する必要は無い。
【００６４】
図２において、原稿５に記載されている数字は、説明を簡単にするために、原稿５の各部分の位置を示している。この各数字の表す位置は例えば１から６までを包括する距離が解像度３００ｄｐｉの読取画像の画素ピッチ（３００ｄｐｉ読取時のライン送りピッチ）に相当する。
【００６５】
原稿５は、Ｒ読取情報，Ｇ読取情報，Ｂ読取情報を各々読み取る合計３回のライン走査を行う間に、解像度３００ｄｐｉでの画素ピッチに相当する距離を搬送されるよう、搬送速度を調整されているものとする。
【００６６】
まず、光源３よりＲ光を原稿５に照射する。この状態でラインセンサで読取を行うと、原稿面の−３〜２（−３及び−２は不図示）までの部分を読み取ることになる。
【００６７】
次に、光源３よりＧ光を原稿５に照射してラインセンサで読取を行うと、同様に、原稿面の−３〜２（−３及び−２は不図示）の部分を読み取ることになる。
【００６８】
次に、光源３よりＢ光を原稿５に照射してラインセンサで読取を行うと、同様に、原稿面の−３〜２（−３及び−２は不図示）の部分を読み取ることになる。この３回の動作により、各Ｒ，Ｇ，Ｂの１ライン目のデータを読み取る事ができる。
【００６９】
次に、１ライン目の読取動作と同様に、２ライン目以降の読取を行うが、例えば２ライン目は原稿面の３〜８の部分を読み取ることになる。
【００７０】
この読取動作を繰り返すことにより、図２（ｂ）に示すように、Ｒ，Ｇ，Ｂ各色の画像情報読取位置は、完全に一致した状態で欠落もなく全てのラインを読み取れることがわかる。この結果、色ずれのない画像を得る事ができる。従って、本実施形態のラインセンサは、副走査方向に３００ｄｐｉの解像度を有していることがわかる。
【００７１】
次に、図３を参照して、原稿とラインセンサとの間の相対速度を半分にして、図２の２倍の解像度６００ｄｐｉで画像読取を行う場合を説明する。
【００７２】
この例では、３００ｄｐｉの解像度で読み取る場合とは異なり、光源３からＲ光，Ｂ光，Ｇ光の順で光を照射するものとする。
【００７３】
このように光源３から光を照射しながらラインセンサで原稿５の画像を読み取ると、Ｂ読取情報が１ライン分遅れて読み取られることになる。
【００７４】
従って、読取後、例えば第２ラインＲ読取情報と、第２ラインＧ読取情報とを１ライン分遅延させて、その後に取得される第２ラインＢ読取情報を用いることで画像情報読取位置を一致させることができる。これにより、目的とした副走査方向の解像度６００ｄｐｉの画像情報を得ることができる。
【００７５】
この１ライン分遅延させる操作は、通常ＦＩＦＯメモリを用いて行なうことが可能である。また、コンピュータ等へ全ラインのＲ読取情報、Ｇ読取情報、Ｂ読取情報を転送した後に処理しても良い。図２（ｂ）に示す読取結果からわかるように、色ずれはこの場合でも発生しないが、各ラインのオーバーラップが発生している。これは、ラインセンサが、副走査方向には３００ｄｐｉの解像度となっているためである。
【００７６】
次に、図４を参照して、原稿とラインセンサとの相対速度を倍にして、図２の半分の解像度１５０ｄｐｉで画像を読み取る場合を説明する。
【００７７】
この例では、図４に示すように、各色の画像情報読取位置は完全には一致しない。しかし、図１１に示す従来例において副走査方向に１５０ｄｐｉの解像度で画像を読み取る場合の各色の画像情報読取位置のずれと比べると、ずれ量は半分になり、色ずれの低減が図られることがわかる。
【００７８】
副走査方向に１５０ｄｐｉの解像度で画像読取を行う場合は、読取周期中のＲ光照射タイミングを遅らせ、Ｂ光照射タイミングを早めるように、点灯開始時期、点灯終了時期等を制御する制御手段を設けることで、更に色ずれを減少させることも可能である。
【００７９】
以上説明したように、本実施形態では、安価な１ライン構成のラインセンサを用いて各色の画像情報の読取位置を合わせることができるので、画像の色ずれを防止又は大幅に低減することができると共に、画像読取装置を低コストで提供することができる。
【００８０】
なお、本実施形態では、光学フィルタを５色のフィルタとして構成しているが、これに限定されない。画像の色ずれを削減するには、読取解像度に対応する画素ピッチと略等しい副走査方向の寸法の受光素子に、副走査方向の寸法の略１／３の幅のＲ光透過フィルタ，Ｇ光透過フィルタ，Ｂ光透過フィルタを副走査方向に配列した構成としても良い。この構成については、第２の実施形態で説明する。
【００８１】
ただし、このように構成した場合には、原稿に対し、Ｒ，Ｇ，Ｂ各色で読取られる原稿の部分は原稿の移動方向について原稿の１／３程度をサンプリングした不完全な画像になる。
【００８２】
従って、本実施形態のように、５色のフィルタを用いて、各受光素子の形状を副走査方向に長い長方形とすることが好ましく、読取サンプリング位置に漏れがなくなり、より効果的に色ずれを防止することができる。
【００８３】
また、本実施形態では、光学レンズは正立像を結像するものとして構成しているが、倒立像を結像する光学レンズの場合には、Ｒ光、Ｂ光、Ｇ光の点灯順を逆にし、Ｇ光、Ｂ光、Ｒ光の点灯順に変更することで同様の効果を得ることが可能となる。
【００８４】
更に、本実施形態では、コンタクトイメージセンサと呼ばれる等倍の画像情報を読み取るラインセンサを用いたが、いわゆる縮小光学系を用いて、ＣＣＤ等の読取センサに画像を縮小して結像させるようにしてもよい。
【００８５】
（第２の実施形態）
次に、図９を参照して、本発明の第２の実施形態である画像読取装置について説明する。なお、上記第１の実施形態と重複する部分については符号を流用して説明する。
【００８６】
本実施形態では、受光素子１の副走査方向の寸法を解像度に対応する画素ピッチと略同等とし、光学フィルタ２の幅を受光素子１の副走査方向の寸法の略１／３として、各々Ｒ光，Ｇ光，Ｂ光のみを透過するように構成する。
【００８７】
また、上記第１の実施形態と同様に、光源３が順次Ｒ光，Ｇ光，Ｂ光を照射するように切り換えながら、原稿５の画像を読み取っていく。この結果、図９に示すように、各ラインでの各色の画像情報読取位置は同じ位置となり、色ずれは生じないことがわかる。
【００８８】
本実施形態では、光学フィルタ２に一般的なＲ，Ｇ，Ｂフィルタを使用することができ、かつ、従来のラインセンサに使用されているものと同等の受光素子をそのまま流用可能であるため、安価なラインセンサが使用可能である。
【００８９】
なお、本発明は上記各実施形態に例示したものに限定されるものではなく、本発明の要旨を逸脱しない範囲において適宜変更可能である。
【００９０】
例えば、上記各実施形態では、ラインセンサに対し、原稿を移動させる場合を例示したが、原稿に対し、ラインセンサを移動させる場合に本発明を適用してもよい。
【図面の簡単な説明】
【００９１】
【図１】本発明の第１の実施形態である画像読取装置の画像読取部を説明するための図である。
【図２】読取解像度３００ｄｐｉで読み取られた各色の画像情報読取位置を示す図である。
【図３】読取解像度６００ｄｐｉで読み取られた各色の画像情報読取位置を示す図である。
【図４】読取解像度１５０ｄｐｉで読み取られた各色の画像情報読取位置を示す図である。
【図５】光源の波長と発光強度との関係を示すグラフ図である。
【図６】光学フィルタの５種類の異なる透過特性を有する各部分の透過特性を示す図である。
【図７】受光素子と光学フィルタとの配置を示す図である。
【図８】各色の画像情報読取位置と受光素子との位置関係を示す図である。
【図９】本発明の第２の実施形態である画像読取装置に用いられる受光素子と光学フィルタを説明するための図である。
【図１０】従来の画像読取装置に用いられる受光素子と光学フィルタを説明するための図であり、読取解像度３００ｄｐｉで読み取られた各色の画像情報読取位置を示す図である。
【図１１】従来の画像読取装置に用いられる受光素子と光学フィルタを説明するための図であり、読取解像度１５０ｄｐｉで読み取られた各色の画像情報読取位置を示す図である。
【符号の説明】
【００９２】
１  受光素子
２  光学フィルタ
３  光源
４  光学レンズ
５  原稿
６  搬送ローラ
【図１】
2009124554.tif 000003
【図２】
2009124554.tif 000004
【図３】
2009124554.tif 000005
【図４】
2009124554.tif 000006
【図５】
2009124554.tif 000007
【図６】
2009124554.tif 000008
【図７】
2009124554.tif 000009
【図８】
2009124554.tif 000010
【図９】
2009124554.tif 000011
【図１０】
2009124554.tif 000012
【図１１】
2009124554.tif 000013